(57)【要約】【課題】  短時間による不正行為と長時間による不正行為の両方を監視して高精度に不正を検出できるメダル遊技設備の不正検出装置を提供する。【解決手段】  ホッパーを備えた複数のメダル遊技機にメダルを供給する供給ラインを設け、供給ラインのメダルをメダル遊技機のホッパーへバッチ補給する補給手段を設け、前記補給手段による補給回数から不正と判断して警報する警報手段を設け、同警報手段は、補給手段によるメダルの補給時刻を記憶する記憶部と、補給回数が計数開始から所定回数に達した時点の補給時刻と計数開始時の補給時刻との間隔が予め定めた短い間隔以下であると不正と判断する短時間監視部と、補給回数が計数開始から所定回数に達した時点の補給時刻と計数開始時の補給時刻との間隔が予め定めた長い間隔以下であると不正と判断する長時間監視部とで構成した。【選択図】  図１
2008043472.tif 000002
【特許請求の範囲】
【請求項１】
ホッパーを備えた複数のメダル遊技機にメダルを供給する供給ラインを設け、供給ラインのメダルをメダル遊技機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給時刻を記憶する記憶部と、補給回数が計数開始から所定回数に達した時点の記憶部の補給時刻と計数開始時の補給時刻との間隔がその所定回数に対して不正と判断できる予め定めた間隔以下の場合は不正があったと判断する長時間監視部と、補給回数が計数開始から長時間監視部で設定された所定回数に比べて小さく設定された回数に達した時点の記憶部の補給時刻と計数開始時の補給時刻との間隔が長時間監視部において設定された所定回数と予め定めた間隔との単位時間当りの補給回数の頻度に比べて高い頻度となるように小さく設定された回数に対する設定された間隔以下である場合は不正があったと判断する短時間監視部とで構成したことを特徴とする、メダル遊技設備の不正検出装置。
【請求項２】
ホッパーを備えた複数のメダル遊技機にメダルを供給する供給ラインを設け、供給ラインのメダルをメダル遊技機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給回数を記憶する記憶部と長い時間中に記憶部が記憶した補給回数がその長い時間に対して不正と判断できる予め定めた所定回数を超えた場合に不正と判断する長時間監視部と、短い時間中に記憶部が記憶した補給回数が長時間監視部で設定された長い時間と所定回数との単位時間当りの補給の頻度より大きい頻度値となるようにその短い時間に対して予め定めた所定回数を超えた場合に不正と判断する短時間監視部とで構成したことを特徴とする、メダル遊技設備の不正検出装置。
【請求項３】
ホッパーを備えた複数のメダル貸し機にメダルを供給する供給ラインを設け、供給ラインのメダルをメダル貸し機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給時刻を記憶する記憶部と、補給回数が計数開始から所定回数に達した時点の記憶部の補給時刻と計数開始時の補給時刻との間隔がその所定回数に対して不正と判断できる予め定めた長い間隔以下である場合は不正があったと判断する長時間監視部と、補給回数が計数開始から予め定めた小さな所定回数に達した時点の記憶部の補給時刻と計数開始時の補給時刻との間隔が長時間監視部で設定された長い間隔と所定回数との単位時間当りの補給の頻度より大きな頻度値となるように小さな所定回数に対して予め定めた短い間隔以下である場合は不正があったと判断する短時間監視部とで構成したことを特徴とする、メダル遊技設備の不正検出装置。
【請求項４】
ホッパーを備えた複数のメダル貸し機にメダルを供給する供給ラインを設け、供給ラインのメダルをメダル貸し機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給回数を記憶する記憶部と、長い時間中に記憶部が記憶した補給回数がその長い時間に対して不正と判断できる予め定めた所定回数を超えた場合に不正があったと判断する長時間監視部と、短い時間中に記憶部が記憶した補給回数が長時間監視部で設定された長い時間と所定回数との単位時間当りの補給の頻度より大きい頻度値となるようにその短い時間に対して予め定めた所定回数を超えた場合に不正と判断する短時間監視部とで構成したことを特徴とする、メダル遊技設備の不正検出装置。
【請求項５】
警報手段が、不正と判断した後に補給手段を停止する制御を備えたものである、請求項１〜４いずれか記載のメダル遊技設備の不正検出装置。
【発明の詳細な説明】
【技術分野】
【０００１】
本発明は、メダルの不正な抜き取りを監視して警報するメダル遊技設備の不正検出装置に関する。
【背景技術】
【０００２】
従来のメダル遊技設備の不正検出装置が特許文献１に開示されている。この技術は、ホッパーを備えたメダル貸し機にメダルを供給する供給ラインを設け、ホッパーのメダル量が所定量以下になるとメダルを供給ラインからバッチ補給する補給手段を設け、ホッパーへの補給量をゲームで正常に消化するときの最短時間を設定時間とし、補給が終了してから設定時間内に再度メダルの補給が始まると不正と判断する不正検出手段を設けたことを特徴としている。
【０００３】
ところで、不正行為は短時間で行われることが一般的で、１０分以内など短い時間内で設定以上の払い出しを発生させて抜き取っている。しかし、近年の不正行為は巧妙で、不正行為と判断されないように３０分以上の長時間をかけて行われる場合があり、このような長時間による不正行為は前記技術などの従来の不正検出装置では検出され難いものであった。
【特許文献１】特開２００２−１０２４２７号公報
【発明の開示】
【発明が解決しようとする課題】
【０００４】
本発明が解決しようとする課題は、従来のこれらの問題点を解消し、短時間による不正行為と長時間による不正行為の両方を監視することで高精度に不正を検出できるようにしたメダル遊技設備の不正検出装置を提供することにある。
【課題を解決するための手段】
【０００５】
かかる課題を解決した本発明の構成は、
１）  ホッパーを備えた複数のメダル遊技機にメダルを供給する供給ラインを設け、供給ラインのメダルをメダル遊技機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給時刻を記憶する記憶部と、補給回数が計数開始から所定回数に達した時点の記憶部の補給時刻と計数開始時の補給時刻との間隔がその所定回数に対して不正と判断できる予め定めた間隔以下の場合は不正があったと判断する長時間監視部と、補給回数が計数開始から長時間監視部で設定された所定回数に比べて小さく設定された回数に達した時点の記憶部の補給時刻と計数開始時の補給時刻との間隔が長時間監視部において設定された所定回数と予め定めた間隔との単位時間当りの補給回数の頻度に比べて高い頻度となるように小さく設定された回数に対する設定された間隔以下である場合は不正があったと判断する短時間監視部とで構成したことを特徴とする、メダル遊技設備の不正検出装置
２）  ホッパーを備えた複数のメダル遊技機にメダルを供給する供給ラインを設け、供給ラインのメダルをメダル遊技機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給回数を記憶する記憶部と長い時間中に記憶部が記憶した補給回数がその長い時間に対して不正と判断できる予め定めた所定回数を超えた場合に不正と判断する長時間監視部と、短い時間中に記憶部が記憶した補給回数が長時間監視部で設定された長い時間と所定回数との単位時間当りの補給の頻度より大きい頻度値となるようにその短い時間に対して予め定めた所定回数を超えた場合に不正と判断する短時間監視部とで構成したことを特徴とする、メダル遊技設備の不正検出装置
３）  ホッパーを備えた複数のメダル貸し機にメダルを供給する供給ラインを設け、供給ラインのメダルをメダル貸し機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給時刻を記憶する記憶部と、補給回数が計数開始から所定回数に達した時点の記憶部の補給時刻と計数開始時の補給時刻との間隔がその所定回数に対して不正と判断できる予め定めた長い間隔以下である場合は不正があったと判断する長時間監視部と、補給回数が計数開始から予め定めた小さな所定回数に達した時点の記憶部の補給時刻と計数開始時の補給時刻との間隔が長時間監視部で設定された長い間隔と所定回数との単位時間当りの補給の頻度より大きな頻度値となるように小さな所定回数に対して予め定めた短い間隔以下である場合は不正があったと判断する短時間監視部とで構成したことを特徴とする、メダル遊技設備の不正検出装置
４）  ホッパーを備えた複数のメダル貸し機にメダルを供給する供給ラインを設け、供給ラインのメダルをメダル貸し機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給回数を記憶する記憶部と、長い時間中に記憶部が記憶した補給回数がその長い時間に対して不正と判断できる予め定めた所定回数を超えた場合に不正があったと判断する長時間監視部と、短い時間中に記憶部が記憶した補給回数が長時間監視部で設定された長い時間と所定回数との単位時間当りの補給の頻度より大きい頻度値となるようにその短い時間に対して予め定めた所定回数を超えた場合に不正と判断する短時間監視部とで構成したことを特徴とする、メダル遊技設備の不正検出装置
５）  警報手段が、不正と判断した後に補給手段を停止する制御を備えたものである、前記１）〜４）いずれか記載のメダル遊技設備の不正検出装置
にある。
【発明の効果】
【０００６】
本発明によれば、警報手段が短時間と長時間の両方の不正行為を監視できるように構成したから、短時間の激しい又は集中的な不正行為と、長時間において続けられる軽い不正行為又は中程度の不正の散発的に続けられる不正行為等の異なったタイプの不正行為を確実に検出できるようにした。
【発明を実施するための最良の形態】
【０００７】
本発明では、警報手段の設定時間としては、メダル貸し機の短時間監視では３〜７分、メダル貸し機の長時間監視では２０〜４０分、メダル遊技機の短時間監視では４〜８分、メダル遊技機の長時間監視では３０〜５０分の範囲が実用的である。補給時刻の記憶は、メダルの補給開始時・メダルの補給中・メダルの補給終了後のいずれかの時点で実行され、監視は補給時又は補給後に実行される。補給時刻には、実時間又はメダル遊技設備の起動時からカウントされる時間情報を使用する。補給手段や警報手段は論理回路やプログラムで構成され、不正を行う者が触れることができない位置に設置される。警報は光や音，信号で知らせる公知の装置が用いられ、警報のレベルに応じて、ランプ点灯・警告表示・ホールコンピュータへの信号送信・監視カメラ作動・無線等の手段による店員への通知・メダル遊技機毎の機器の停止又はメダル遊技設備全体の機器の停止などが実行される。以下、本発明の各実施例を図面に基づいて具体的に説明する。
【実施例１】
【０００８】
図１〜６に示す実施例１は、複数のスロットマシンとそのゲーム用のメダルを貸し出すメダル貸し機で構成されるメダル遊技設備の不正検出装置の例である。図１は実施例１のメダル遊技設備の説明図、図２は実施例１のメダル遊技機の一部切り欠き斜視図、図３は実施例１のメダル貸し機の一部切り欠き斜視図、図４は実施例１のメダル補給制御部の説明図、図５は実施例１の監視プログラムの説明図、図６は実施例１の不正検出を示す情報処理フローチャートである。
【０００９】
図中、１０はメダル遊技機、１１はメダル投入口、１２はコントローラ、１３はホッパー、１４はタッチセンサー、１５はシュート、１６は受皿、１７は排送路、１８は補給路、２０はメダル貸し機、２１は貨幣投入口、２２はコントローラ、２３はホッパー、２４はタッチセンサー、２５はシュート、２６は払出口、２７は補給路、３０はメダル自動補給装置、３１は供給ライン、３２は回収ライン、３３は洗浄研磨部、３４は送出部、３５はメダル取込装置、４０はメダル補給制御部、４０ａは接続部、４１はＣＰＵ、４２はＲＡＭ、４３はＲＯＭ、４４はタイマ、４５はインターフェイス、４６は信号線、４７は監視プログラム（警報手段）、４７ａは補給時刻取得部、４７ｂ（ａ）〜（ｄ）は補給時刻記憶部Ａ、４７ｃ（ａ）〜（ｄ）は補給時刻記憶部Ｂ、４７ｄは補給回数計数部、４７ｅ（ａ）〜（ｄ）は補給回数記憶部、４７ｆは短時間監視部、４７ｇは長時間監視部、４７ｈは警報信号出力部、４８は警報装置、５０はホールコンピュータ、５１は接続部、５２は信号線、ｍはメダルである。
【００１０】
実施例１のメダル遊技設備は、図１に示すようにスロットマシンである複数のメダル遊技機１０とメダル貸し機２０を隣設し、メダル自動補給装置３０からメダル遊技機１０とメダル貸し機２０の上方へメダルｍを供給する供給ライン３１を設け、メダル遊技機１０とメダル貸し機２０から排出されたメダルｍを回収する回収ライン３２を設け、回収したメダルｍを洗浄研磨する洗浄研磨部３３を設け、洗浄研磨されたメダルｍを供給ライン３１へ送り出す送出部３４を設け、メダル遊技機１０とメダル貸し機２０の上方位置に供給ライン３１のメダルｍを取り込むメダル取込装置３５を設け、メダル取込装置３５を制御するメダル補給制御部４０を設けている。
【００１１】
メダル遊技機１０は、図２に示すように正面にメダルｍを投入するメダル投入口１１を設け、投入されたメダルｍによるゲームの進行及びゲーム結果に応じた枚数のメダルｍを払い出すコントローラ１２を設け、内部に多数枚のメダルｍを払い出し時まで貯溜するホッパー１３を設け、ホッパー１３内のメダルｍの所定量以下を検出するタッチセンサー１４を設け、ホッパー１３から払い出したメダルｍを排出するシュート１５を設け、排出されたメダルｍを収容する受皿１６を設け、ホッパー１３の側方に余剰のメダルｍを回収ライン３２へ排出する排送路１７を設け、メダル取込装置３５で取り込まれたメダルｍをホッパー１３へ送り込む補給路１８を設けている。
【００１２】
メダル貸し機２０は、図３に示すように正面に貨幣を投入する貨幣投入口２１を設け、投入された金額に応じた枚数のメダルｍを払い出すコントローラ２２を設け、内部に多数枚のメダルｍを払い出し時まで貯溜するホッパー２３を設け、ホッパー２３内のメダルｍの所定量以下を検出するタッチセンサー２４を設け、ホッパー２３から払い出したメダルｍを排出するシュート２５を設け、排出されたメダルｍを収容する払出口２６を設け、メダル取込装置３５で取り込まれたメダルｍをホッパー２３へ送り込む補給路２７を設けている。
【００１３】
メダル補給制御部４０は、図４に示すようにＣＰＵ４１・ＲＡＭ４２・ＲＯＭ４３・タイマ４４・インターフェイス４５・信号線４６・警報装置４８で構成している。ＲＯＭ４３の監視プログラム４７は、図５に示すようにメダル取込装置３５が作動した際の時刻ｔをタイマ４４から取得する補給時刻取得部４７ａと、取得した時刻ｔのうち監視開始の基準となる補給時刻ｔ０を記憶する補給時刻記憶部Ａ４７ｂ（ａ）〜（ｄ）と、取得した時刻ｔのうち最新の補給時刻ｔ１を記憶する補給時刻記憶部Ｂ４７ｃ（ａ）〜（ｄ）と、補給回数ｎ（メダル取込装置３５の作動回数）を計数する補給回数計数部４７ｄと、計数した補給回数ｎを記憶する補給回数記憶部４７ｅ（ａ）〜（ｄ）と、補給回数ｎが計数開始から設定回数ｎ１に達した時点の補給時刻ｔ１と計数開始時の補給時刻ｔ０との間隔が予め定めた短い設定時間ｔ２以下であると不正と判断する短時間監視部４７ｆと、補給回数ｎが計数開始から設定回数ｎ１に達した時点の補給時刻ｔ１と計数開始時の補給時刻ｔ０との間隔が予め定めた長い設定時間ｔ２以下であると不正と判断する長時間監視部４７ｇと、短時間監視部４７ｆと長時間監視部４７ｇが不正と判断した場合に警報装置４８へ信号を出力するとともにメダル取込装置３５を停止させる警報信号出力部４７ｈとで構成されている。
【００１４】
補給時刻記憶部Ａ４７ｂ（ａ）と補給時刻記憶部Ｂ４７ｃ（ａ）と補給回数記憶部４７ｅ（ａ）はメダル貸し機２０の短時間監視用、補給時刻記憶部Ａ４７ｂ（ｂ）と補給時刻記憶部Ｂ４７ｃ（ｂ）と補給回数記憶部４７ｅ（ｂ）はメダル貸し機２０の長時間監視用、補給時刻記憶部Ａ４７ｂ（ｃ）と補給時刻記憶部Ｂ４７ｃ（ｃ）と補給回数記憶部４７ｅ（ｃ）はメダル遊技機１０の短時間監視用、補給時刻記憶部Ａ４７ｂ（ｄ）と補給時刻記憶部Ｂ４７ｃ（ｄ）と補給回数記憶部４７ｅ（ｄ）はメダル遊技機１０の長時間監視用である。また、監視プログラム４７はメダル貸し機２０の短時間監視では設定回数ｎ１が３回且つ設定時間ｔ２が５分、メダル貸し機２０の長時間監視では設定回数ｎ１が１２回且つ設定時間ｔ２が３０分、メダル遊技機１０の短時間監視では設定回数ｎ１が５回且つ設定時間ｔ２が６分、メダル遊技機１０の長時間監視では設定回数ｎ１が１５回且つ設定時間ｔ２が４０分に設定している。
【００１５】
実施例１では、メダル自動補給装置３０を作動させるとメダルｍが供給ライン３１で供給される。メダル補給制御部４０は、メダル遊技機１０とメダル貸し機２０のホッパー１３，２３内のメダルｍがタッチセンサー１４，２４に触れていない場合に収容量不足であることを検出し、メダル取込装置３５を作動させて供給ライン３１のメダルｍをホッパー１３，２３へバッチ的に取り込んで収容する。１回当たりの補給枚数は２００枚で、タイマ等で２００枚となるように所要時間補給する。監視プログラム４７は補給時刻取得部４７ａと補給回数計数部４７ｄでメダル取込装置３５の作動時刻の取得と補給回数の計数を行い、補給時刻記憶部Ａ４７ｂ（ａ）〜（ｄ）と補給回数記憶部４７ｅ（ａ）〜（ｄ）に記憶する。
【００１６】
遊技者がメダル貸し機２０の貨幣投入口２１に貨幣を投入すると、コントローラ２２はその投入金額に応じた枚数（例えば５０枚／１０００円）のメダルｍをホッパー２３から払い出し、メダル補給制御部４０はメダル取込装置３５を作動させて供給ライン３１のメダルｍをホッパー２３へ取り込んで補給する。監視プログラム４７は補給時刻取得部４７ａと補給回数計数部４７ｄでメダル取込装置３５の作動時刻の取得と補給回数の計数を行い、補給時刻記憶部Ｂ４７ｃ（ａ），（ｂ）と補給回数記憶部４７ｅ（ａ），（ｂ）に記憶する。
【００１７】
遊技者が貸し出されたメダルｍをメダル遊技機１０のメダル投入口１１に投入してゲームをすると、コントローラ１２はゲーム結果に応じた枚数のメダルｍをホッパー１３から払い出し、メダル補給制御部４０はメダル取込装置３５を作動させて供給ライン３１のメダルｍをホッパー１３へ取り込んで補給する。監視プログラム４７は補給時刻取得部４７ａと補給回数計数部４７ｄでメダル取込装置３５の作動時刻の取得と補給回数の計数を行い、補給時刻記憶部Ｂ４７ｂ（ｃ），（ｄ）と補給回数記憶部４７ｅ（ｃ），（ｄ）に記憶する。
【００１８】
＜メダル貸し機２０の短時間監視＞
メダル貸し機２０の両側に設置された２台のメダル遊技機１０で大当たりが無かった場合、通常は５分間で両側の台に２回づつ計４回貸し出され、遊技者は５０枚の消化におよそ２．５〜３分要している。そうすると、最短で消化しても５０枚×４回＝２００枚となるから、例えば５分間で３回補給が発生したとなると、２００枚×３回＝６００枚となり通常では有り得ないことになる。したがって、監視プログラム４７の短時間監視部４７ｆは図６，７に示すように補給回数記憶部４７ｅ（ａ）の補給回数ｎが設定回数ｎ１（３回）となった時点で補給時刻記憶部Ｂ４７ｃ（ａ）の補給時刻ｔ１と補給時刻記憶部Ａ４７ｂ（ａ）の補給時刻ｔ０の間隔が設定時間ｔ２（５分）か又はそれ以下であった場合は警報信号出力部４７ｈが警報装置４８に信号を出力し、警報装置４８はその信号を受信して警報するとともにメダル取込装置３５が停止する。５分を超えた場合は補給回数記憶部４７ｅ（ａ）をリセットするとともに、次の補給時刻を監視開始の基準となる補給時刻ｔ０として補給時刻記憶部Ａ４７ｂ（ａ）に記憶して監視を継続する。なお、２回補給があった場合でも２００枚×２回＝４００枚となるが、誤警報を防止するために３回目で警報するようにしている。
【００１９】
＜メダル貸し機２０の長時間監視＞
不正行為を１時間以内で切り上げるとすると、最大貸し出し枚数は３０分÷５分＝６セットとなり（１セットは４回）、借りる回数は４回×６セット＝２４回となり、５０枚／回×２４回＝１２００枚となる。そうすると、例えば３０分間で１２回補給が発生したとなると、２００枚×１２回＝２４００枚となり通常では有り得ないことになる。したがって、監視プログラム４７の長時間監視部４７ｇは図６，７に示すように補給回数記憶部４７ｅ（ｂ）の補給回数ｎが設定回数ｎ１（１２回）となった時点で補給時刻記憶部Ｂ４７ｃ（ｂ）の補給時刻ｔ１と補給時刻記憶部Ａ４７ｂ（ｂ）の補給時刻ｔ０の間隔が設定時間ｔ２（３０分）か又はそれ以下であった場合は警報信号出力部４７ｈが警報装置４８に信号を出力し、警報装置４８はその信号を受信して警報するとともにメダル取込装置３５が停止する。３０分を超えた場合は補給回数記憶部４７ｅ（ｂ）をリセットするとともに、次の補給時刻を監視開始の基準となる補給時刻ｔ０として補給時刻記憶部Ａ４７ｂ（ｂ）に記憶して監視を継続する。
【００２０】
＜メダル遊技機１０の短時間監視＞
大当たりでは７００枚／回を払い出すとともに通常より１００枚多い３００枚／回を並行して補給し、補給回数は大当たり１回につき７００÷３００≒２．３３回である。また、大当たりの消化ゲーム時間はおよそ６分である。そうすると、例えば６分間で５回補給が発生したとすると、大当たりが連続した場合でも２．３３回×２回＝４．６６回であるから、通常では有り得ないことになる。したがって、監視プログラム４７の短時間監視部４７ｆは図６，７に示すように補給回数記憶部４７ｅ（ｃ）の補給回数ｎが設定回数ｎ１（５回）となった時点で補給時刻記憶部Ｂ４７ｃ（ｃ）の補給時刻ｔ１と補給時刻記憶部Ａ４７ｂ（ｃ）の補給時刻ｔ０の間隔が設定時間ｔ２（６分）か又はそれ以下であった場合は警報信号出力部４７ｈが警報装置４８に信号を出力し、警報装置４８はその信号を受信して警報するとともにメダル取込装置３５が停止する。６分を超えた場合は補給回数記憶部４７ｅ（ｃ）をリセットするとともに、次の補給時刻を監視開始の基準となる補給時刻ｔ０として補給時刻記憶部Ａ４７ｂ（ｃ）に記憶して監視を継続する。
【００２１】
＜メダル遊技機１０の長時間監視＞
長時間管理の場合には、ゲームの回数が多くなるので、ゲームによるホッパー１３へのメダルｍの投入蓄積も合わせて考慮する。また、大当たりの７００枚払い出し枚数は、大当たり中のゲームによる打ち込み枚数を差し引いた枚数である。
１．４０分間に５００ゲームをすると、１ゲームにつきメダルｍが３枚投入されるので、３枚×５００ゲーム＝１５００枚がホッパー１３に打ち込み補充されることになり、大当たりによるメダルｍの大量払い出しが全く無ければ、メダルｍは増加するだけでメダルｍの補給は全く必要ない。
２．４０分間内に２回の大当たりが発生しても７００枚×２回＝１４００枚であり、メダルｍの補給回数は１４００枚÷２００枚＝７回でよい。
３．４０分間に大当たりが連続した場合、通常、大当たりの連続は５回が上限設定であり、７００枚×５回＝３５００枚が払い出される。必要なメダルｍの補給枚数は、大当たり中は払い出しをしながらメダルｍの補給を行いので、１回のメダルｍの補給枚数が１００枚程度上乗せして３００枚が補給されるので、３５００÷３００枚＝１１．６回≒１２回で、１５回もメダルｍを補給する必要はない。
４．ほとんど有り得ないが、もし４０分間中に全て大当たりが連続した場合は、４０分÷６分（大当たり１回の消化時間）＝６．６７回≒７回となり、最大７回の大当たりが発生する。４０分間に必要なメダルｍの補給枚数は７００枚×７回＝４９００枚、また大当たりが６回の場合は７００枚×６回＝４２００枚である。メダルｍの補給をその間に１５回行ったとすると３００枚×１５回＝４５００枚となり、１５回以上のメダルｍの補給はほとんど有り得ない。
したがって、監視プログラム４７の長時間監視部４７ｇは図６，７に示すように補給回数記憶部４７ｅ（ｄ）の補給回数ｎが設定回数ｎ１（１５回）となった時点で補給時刻記憶部Ｂ４７ｃ（ｄ）の補給時刻ｔ１と補給時刻記憶部Ａ４７ｂ（ｄ）の補給時刻ｔ０の間隔が設定時間ｔ２（４０分）か又はそれ以下であった場合は警報信号出力部４７ｈが警報装置４８に信号を出力し、警報装置４８はその信号を受信して警報するとともにメダル取込装置３５が停止する。４０分を超えた場合は補給回数記憶部４７ｅ（ｄ）をリセットするとともに、次の補給時刻を監視開始の基準となる補給時刻ｔ０として補給時刻記憶部Ａ４７ｂ（ｄ）に記憶して監視を継続する。
【実施例２】
【００２２】
図７，８に示す実施例２は、実施例１の監視プログラムの他の例である。図７は実施例２の監視プログラムの説明図、図８は実施例２の不正検出を示す情報処理フローチャートである。図中、４７ｉは現在時刻取得部、４７ｊ（ａ）〜（ｄ）は開始時刻記憶部、４７ｋは補給回数計数部、４７ｍ（ａ）〜（ｄ）は補給回数記憶部、４７ｎは短時間監視部、４７ｐは長時間監視部、４７ｑは警報信号出力部である。
【００２３】
実施例２の監視プログラム４７は、図７に示すように現在の時刻ｔをタイマ４４から取得する現在時刻取得部４７ｉと、監視開始の基準となる基準時刻ｔ０を記憶する開始時刻記憶部４７ｊ（ａ）〜（ｄ）と、補給回数ｎ（メダル取込装置３５の作動回数）を計数する補給回数計数部４７ｋと、計数した補給回数ｎを記憶する補給回数記憶部４７ｍ（ａ）〜（ｄ）と、基準時刻ｔ０から経過した時間が予め定めた短い設定時間ｔ１以下で且つ補給回数ｎが計数開始から設定回数ｎ１に達していると不正と判断する短時間監視部４７ｎと、基準時刻ｔ０から経過した時間が予め定めた長い設定時間ｔ１以下で且つ補給回数ｎが計数開始から設定回数ｎ１に達していると不正と判断する長時間監視部４７ｐと、短時間監視部４７ｎと長時間監視部４７ｐが不正と判断した場合に警報装置４８へ信号を出力するとともにメダル取込装置３５を停止させる警報信号出力部４７ｑとで構成されている。
【００２４】
実施例２では、メダル貸し機２０の短時間監視を例に説明する（図８参照）。５分間で３回補給が発生したとすると、監視プログラム４７の短時間監視部４７ｎは現在の時刻ｔが開始時刻記憶部４７ｊ（ａ）の基準時刻ｔ０から設定時間ｔ１（５分）か又はそれ以下の経過である場合において補給回数ｎが設定回数ｎ１（３回）に達していると警報信号出力部４７ｑが警報装置４８に信号を出力し、警報装置４８はその信号を受信して警報するとともにメダル取込装置３５が停止する。補給回数ｎが３回以下で５分以上経過している場合は補給回数記憶部４７ｍ（ａ）をリセットするとともに、現在の時刻ｔを基準時刻ｔ０として開始時刻記憶部４７ｊ（ａ）に記憶して監視を継続する。メダル貸し機２０の長時間監視とメダル遊技機１０の短時間監視及び長時間監視も同様の工程で行われる。その他、符号、構成、作用効果は実施例１と同様である。
実施例における短時間監視部と長時間監視部の単位時間当りの補給回数の頻度は、大きく異にしている。短時間と長時間の補給頻度は、メダル遊技では５回／６分＝０．８３３，１５回／４０分＝０．３７５であり、メダル貸機では３回／５分＝０．６００，１２回／３０分＝０．４００である。従って短時間監視部は短時間での激しい不正を検出し、早期にそれを検出して早期に警報・予防できるようにし、長時間監視部は軽い不正の連続的な不正、激しくない中程度の不正のときどきの不正を精度よく検出し易くしている。
【産業上の利用可能性】
【００２５】
本発明のメダル遊技設備の不正検出装置は、スロットマシンの他、メダルを用いる全ての遊技機に応用できる。
【図面の簡単な説明】
【００２６】
【図１】実施例１のメダル遊技設備の説明図である。
【図２】実施例１のメダル遊技機の一部切り欠き斜視図である。
【図３】実施例１のメダル貸し機の一部切り欠き斜視図である。
【図４】実施例１のメダル補給制御部の説明図である。
【図５】実施例１の監視プログラムの説明図である。
【図６】実施例１の不正検出を示す情報処理フローチャートである。
【図７】実施例２の監視プログラムの説明図である。
【図８】実施例２の不正検出を示す情報処理フローチャートである。
【符号の説明】
【００２７】
１０  メダル遊技機
１１  メダル投入口
１２  コントローラ
１３  ホッパー
１４  タッチセンサー
１５  シュート
１６  受皿
１７  排送路
１８  補給路
２０  メダル貸し機
２１  貨幣投入口
２２  コントローラ
２３  ホッパー
２４  タッチセンサー
２５  シュート
２６  払出口
２７  補給路
３０  メダル自動補給装置
３１  供給ライン
３２  回収ライン
３３  洗浄研磨部
３４  送出部
３５  メダル取込装置
４０  メダル補給制御部
４０ａ  接続部
４１  ＣＰＵ
４２  ＲＡＭ
４３  ＲＯＭ
４４  タイマ
４５  インターフェイス
４６  信号線
４７  監視プログラム
４７ａ  補給時刻取得部
４７ｂ（ａ）〜（ｄ）  補給時刻記憶部Ａ
４７ｃ（ａ）〜（ｄ）  補給時刻記憶部Ｂ
４７ｄ  補給回数計数部
４７ｅ（ａ）〜（ｄ）  補給回数記憶部
４７ｆ  短時間監視部
４７ｇ  長時間監視部
４７ｈ  警報信号出力部
４７ｉ  現在時刻取得部
４７ｊ（ａ）〜（ｄ）  開始時刻記憶部
４７ｋ  補給回数計数部
４７ｍ（ａ）〜（ｄ）  補給回数記憶部
４７ｎ  短時間監視部
４７ｐは長時間監視部
４７ｑ  警報信号出力部
４８  警報装置
５０  ホールコンピュータ
５１  接続部
５２  信号線
ｍ  メダル
【図１】
2008043472.tif 000003
【図２】
2008043472.tif 000004
【図３】
2008043472.tif 000005
【図４】
2008043472.tif 000006
【図５】
2008043472.tif 000007
【図６】
2008043472.tif 000008
【図７】
2008043472.tif 000009
【図８】
2008043472.tif 000010